(57)【要約】【課題】  下部構造体の上に設置した床構造体の上に木質ラーメン構造の門型耐力壁を、簡易な構造によって強固に配置すること。【解決手段】  建物１であって、下部構造体３の上に床構造体２０を設置し、床構造体２０の上に木質ラーメン構造の門型耐力壁３０の左右の柱脚を載せ、門型耐力壁３０の柱脚と下部構造体３を金物４０、５０を介して連結したもの。【選択図】  図２
2009185571.tif 000002
【特許請求の範囲】
【請求項１】
下部構造体の上に床構造体を設置し、床構造体の上に木質ラーメン構造の門型耐力壁の左右の柱脚を載せ、門型耐力壁の柱脚と下部構造体を金物を介して連結した建物。
【請求項２】
前記床構造体と門型耐力壁とが予め一体化された床付壁ユニットを構成する請求項１に記載の建物。
【請求項３】
前記金物が、床構造体に内蔵した中間金物を含み、この中間金物に、前記門型耐力壁の柱脚と下部構造体とがそれぞれ連結されてなる請求項１又は２に記載の建物。
【発明の詳細な説明】
【技術分野】
【０００１】
本発明は建物に関する。
【背景技術】
【０００２】
特許文献1に記載の如く、建物の木質ラーメン構造の門型フレームの柱脚を基礎の上に中間金物を介して強固に取付け、門型フレームの広い開口幅をもつガレージ等の内部空間を構成するものがある。
【特許文献１】特開平9-60107
【発明の開示】
【発明が解決しようとする課題】
【０００３】
建物の床上に大開口を形成する構造として、特許文献１に記載の門型フレームの柱脚まわりに床構造体を敷き設けることが考えられる。しかしながら、このとき、門型フレームの左右の柱脚の外寸を一辺とする矩形状床構造体の輪郭を門型フレームの柱脚に対応する角部で切欠き、床構造体の非切欠部を基礎の上に載せるものとする場合には、床構造体の枠組等の構成が複雑になる。また、このとき、門型フレームの左右の柱脚の内寸を一辺とする矩形状床構造体を門型フレームの柱脚の内側面に突き当て支持するものとする場合には、床構造体を門型フレームに支持するための格別の支持金物が必要になる。
【０００４】
本発明の課題は、下部構造体の上に設置した床構造体の上に木質ラーメン構造の門型耐力壁を、簡易な構造によって強固に配置することにある。
【課題を解決するための手段】
【０００５】
請求項１の発明は、下部構造体の上に床構造体を設置し、床構造体の上に木質ラーメン構造の門型耐力壁の左右の柱脚を載せ、門型耐力壁の柱脚と下部構造体を金物を介して連結した建物である。
【０００６】
請求項２の発明は、請求項１の発明において更に、前記床構造体と門型耐力壁とが予め一体化された床付壁ユニットを構成するようにしたものである。
【０００７】
請求項３の発明は、請求項１又は２の発明において更に、前記金物が、床構造体に内蔵した中間金物を含み、この中間金物に、前記門型耐力壁の柱脚と下部構造体とがそれぞれ連結されてなるようにしたものである。
【発明の効果】
【０００８】
（請求項１）
(a)建物において、下部構造体の上に床構造体を設置し、床構造体の上に木質ラーメン構造の門型耐力壁の左右の柱脚を載せ、門型耐力壁の柱脚と下部構造体を金物を介して連結した。従って、下部構造体と門型耐力壁の柱脚との間に床構造体を挟み込む構造になり、床構造体の輪郭を切欠く必要がないし、床構造体を下部構造体の上に支持し、かつ下部構造体と門型耐力壁の柱脚の間に強固に挟み込み配置される。
【０００９】
（請求項２）
(b)床構造体と門型耐力壁とが予め一体化された床付壁ユニットを構成する。従って、床付壁ユニットを予め工場で生産した後に建築現場に輸送して据付けるものになり、建物の工業生産化率を向上できる。
【００１０】
（請求項３）
(c)門型耐力壁の柱脚が、床構造体に内蔵した中間金物に連結される。従って、門型耐力壁の柱脚と床構造体を中間金物により強固に一体化できる。また、門型耐力壁の両面や床構造体の上面に面材が張設された状態であっても、床下からの作業で各連結作業ができるので工程の自由化ができる。
【発明を実施するための最良の形態】
【００１１】
図１は建物を示す斜視図、図２は床付壁ユニットの設置構造を示す正面図、図３は門型耐力壁の連結構造を示す正面図、図４は門型耐力壁の柱と梁の剛接合構造を示し、（Ａ）は正面図、（Ｂ）は側面図、図５は中間金物を示す斜視図、図６は門型耐力壁と床構造体の連結構造を示す斜視図、図７は門型耐力壁と基礎の連結構造を示す斜視図である。
【実施例】
【００１２】
図１に示す建物１は、複数個の工場生産された建物ユニット２を、建築現場に設けてある基礎３の上に隣接設置して構築されたユニット建物であり、その一部に床付壁ユニット１０を有する。
【００１３】
床付壁ユニット１０は、図２に示す如く、床構造体２０と木質ラーメン構造の門型耐力壁３０とを工場生産段階で予め一体化したものである。門型耐力壁３０の柱脚が、床構造体２０に内蔵した中間金物４０に連結される。そして、建物１は、床付壁ユニット１０に対する下部構造体としての基礎3の上に床構造体２０を設置し、床構造体２０の上に門型耐力壁３０の左右の柱脚を載せ、門型耐力壁３０の壁枠組３１と基礎３を中間金物４０を介して連結してある。建物１は、床構造体の上で、門型耐力壁３０の左右の壁枠組３１に挟まれる空間を窓等の大開口とする。
【００１４】
床構造体２０は、図２、図３に示す如く、木質根太２１Ａからなる床枠組２１の下面に木質土台２２を取付けるとともに、床枠組２１の上面に床面材２３を取付けて構成される。
【００１５】
門型耐力壁３０は、図２〜図４に示す如く、木質構造柱３１Ａと木質縦枠材３１Ｂにより壁枠組３１を形成し、左右の壁枠組３１の上端部に木質構造梁３２の両端部を剛接合して門型とする。壁枠組３１と構造梁３２は、図４に示す如く、相交差する構造柱３１Ａの上端部と構造梁３２の端部のそれぞれの幅方向中央部に溝３３Ａ、３３Ｂを形成し、Ｌ型接合金物３４をそれらの溝３３Ａ、３３Ｂに差し込み、構造柱３１Ａの上端部とその溝３３Ａに差し込まれたＬ型接合金物３４とをドリフトピン３５Ａにより接合されるとともに、構造梁３２の端部とその溝３３Ｂに差し込まれたＬ型接合金物３４とをドリフトピン３５Ｂにより接合される。これにより、左右の構造柱３１Ａ、ひいては壁枠組３１と構造梁３２とが剛接合され、木質ラーメン構造の門型耐力壁３０が形成される。
【００１６】
尚、門型耐力壁３０は、左右の壁枠組３１の下端面に木質下枠材３６を架け渡されるとともに、左右の壁枠組３１の上端面に木質上枠材３７を架け渡される。生産段階の門型耐力壁３０は左右の壁枠組３１を下枠材３６により連結されて安定化される。下枠材３６は、床構造体２０と門型耐力壁３０の一体化後に、左右の構造柱３１Ａの内寸相当部を切除される。
【００１７】
床構造体２０と門型耐力壁３０は以下の構造により連結されて一体化される。床構造体２０において、図３に示す如く、門型耐力壁３０の左右の構造柱３１Ａ、縦枠材３１Ｂの各柱脚に対応する床面材２３の下側側傍に中間金物４０を配置し、この中間金物４０を木ねじ４１で床枠組２１の根太２１Ａに固定する。中間金物４０は、図５に示す如く、上板４０Ａと下板４０Ｂの間につなぎ板４０Ｃを有して構成され、つなぎ板４０Ｃが木ねじ４１により根太２１Ａに固定される。他方、門型耐力壁３０において、図３に示す如く、左右の構造柱３１Ａ（縦枠材３１Ｂにおいても同じ）の脚部の側面に引き寄せ金物５０の取付板５０Ａをボルト５１、釘５２で固定する。床構造体２０の上に門型耐力壁３０の左右の構造柱３１Ａ（縦枠材３１Ｂにおいても同じ）の脚部を載せ、図６に示す如く、ボルト６１を引き寄せ金物５０の台座板５０Ｂ、門型耐力壁３０の下枠材３６、床構造体２０の床面材２３のそれぞれに設けた孔経由で、構造柱３１Ａの脚部に対応する中間金物４０の上板４０Ａのボルト挿通孔に挿通し、その挿通端にナット６１Ａを締結する。これにより、床構造体２０と門型耐力壁３０（構造柱３１Ａ、縦枠材３１Ｂ）を連結した床付壁ユニット１０が形成される。
【００１８】
門型耐力壁３０と基礎３は以下の構造により連結される。床付壁ユニット１０の床構造体２０を基礎３の上に据付け設置するに際し、図７に示す如く、基礎３のアンカーボルト４を床構造体２０の土台２２に設けた孔経由で、門型耐力壁３０の構造柱３１Ａ、縦枠材３１Ｂの各脚部に対応する中間金物４０の下板４０Ｂのボルト挿通孔に挿通し、その挿通端にナット４Ａを締結する。これにより、門型耐力壁３０の左右の構造柱３１Ａ、縦枠材３１Ｂの各脚部が、引き寄せ金物５０、中間金物４０を介して基礎３に連結される。
【００１９】
本実施例によれば以下の作用効果を奏する。
(a)建物１において、基礎３の上に床構造体２０を設置し、床構造体２０の上に木質ラーメン構造の門型耐力壁３０の左右の柱脚を載せ、門型耐力壁３０の柱脚と基礎３を引き寄せ金物５０、中間金物４０を介して連結した。従って、基礎３と門型耐力壁３０の柱脚との間に床構造体２０を挟み込む構造になり、床構造体２０の輪郭を切欠く必要がないし、床構造体２０を基礎３の上に支持し、かつ基礎３と門型耐力壁３０の柱脚の間に強固に挟み込み配置される。
【００２０】
(b)床構造体２０と門型耐力壁３０とが予め一体化された床付壁ユニット１０を構成する。従って、床付壁ユニット１０を予め工場で生産した後に建築現場に輸送して据付けるものになり、建物１の工業生産化率を向上できる。
【００２１】
(c)門型耐力壁３０の柱脚が、床構造体２０に内蔵した中間金物４０に連結される。従って、門型耐力壁３０の柱脚と床構造体２０を中間金物４０により強固に一体化できる。また、門型耐力壁３０の両面や床構造体２０の上面に面材が張設された状態であっても、床下からの作業で各連結作業ができるので工程の自由化ができる。
【００２２】
以上、本発明の実施例を図面により詳述したが、本発明の具体的な構成はこの実施例に限られるものではなく、本発明の要旨を逸脱しない範囲の設計の変更等があっても本発明に含まれる。本発明の建物において、床構造体が設置される下部構造体は下階の壁構造体の縦枠材と、下階構造体であっても良い。
【図面の簡単な説明】
【００２３】
【図１】図１は建物を示す斜視図である。
【図２】図２は床付壁ユニットの設置構造を示す正面図である。
【図３】図３は門型耐力壁の連結構造を示す正面図である。
【図４】図４は門型耐力壁の柱と梁の剛接合構造を示し、（Ａ）は正面図、（Ｂ）は側面図である。
【図５】図５は中間金物を示す斜視図である。
【図６】図６は門型耐力壁と床構造体の連結構造を示す斜視図である。
【図７】図７は門型耐力壁と基礎の連結構造を示す斜視図である。
【符号の説明】
【００２４】
１  建物
３  基礎（下部構造体）
１０  床付壁ユニット
２０  床構造体
３０  門型耐力壁
４０  中間金物（金物）
５０  引き寄せ金物（金物）
【図１】
2009185571.tif 000003
【図２】
2009185571.tif 000004
【図３】
2009185571.tif 000005
【図４】
2009185571.tif 000006
【図５】
2009185571.tif 000007
【図６】
2009185571.tif 000008
【図７】
2009185571.tif 000009